(57)【要約】【課題】エレベーター機器及び運行に関与しない通信ケーブルを、エレベーターの機器に依存せずにエレベーター昇降路内に懸架するとともに、迅速かつ確実に、追加敷設を可能とするエレベーターの昇降路内ケーブル敷設方法の提供。【解決手段】エレベーターの昇降路１内に追加敷設する通信ケーブル６を懸架する通信ケーブル固定ブラケット７をエレベーターの昇降路壁面５に設け、それ以外の箇所で通信ケーブル６を保持するために、通信ケーブル６をエレベーターの昇降路壁面５に圧着する通信ケーブル圧着ブラケット８を乗りかごの案内レール４に設ける構成とした。【選択図】図１
2007062868.tif 000002
【特許請求の範囲】
【請求項１】
エレベーターの昇降路内に、エレベーター機器及び運行に関与しない通信ケーブルを追加敷設する場合において、追加する通信ケーブルの少なくとも１箇所をエレベーターの昇降路壁面、もしくは建物躯体に懸架可能な状態で固定するとともに、この追加する通信ケーブルの少なくとも１箇所を、乗りかご、もしくはつり合い錘の案内レールに取り付けたブラケットにより、エレベーターの昇降路壁面に圧着保持することを特徴とするエレベーターの昇降路内ケーブル敷設方法。
【発明の詳細な説明】
【技術分野】
【０００１】
本発明は、エレベーターの昇降路内に、エレベーター機器及び運行に関与しない通信ケーブルを追加敷設する場合のエレベーターの昇降路内ケーブル敷設方法に関する。
【背景技術】
【０００２】
従来、エレベーターの昇降路内に、ケーブルを敷設する方法としては、エレベーターの専用ケーブルを、乗りかご、もしくはつり合い錘の案内レールに対し、昇降路の行程方向に一定間隔で設けられた複数のブラケットで固定する方法がとられていた（特許文献１参照。）。
【特許文献１】特開平９−１８８４８７号公報
【発明の開示】
【発明が解決しようとする課題】
【０００３】
近年、通信技術の目覚しい進展や、光通信に代表される高速大容量の通信インフラヘのニーズの高まりから、既存の建屋においても、エレベーターの昇降路を縦の導線として新たに通信ケーブルを敷設することが提案されている。
【０００４】
しかし、ここで追加敷設される通信ケーブルは、従来昇降路内に設けられるエレベーター用のケーブルと異なり、エレベーター機器及び運行に関与しない通信ケーブルであるため、既存のエレベーター機器に依存しない敷設方法が必要となる。これは、エレベーター機器に依存する形で、例えばエレベーターの案内レールにブラケットを設け、これに通信ケーブルを固定することで通信ケーブルを追加敷設すると、将来的にエレベーターの改修作業やリニューアルといったことが発生した場合、通信ケーブルの一時的な撤去が必要となるケースも予想されるからである。
【０００５】
一方、エレベーターの機器に依存せず、エレベーターの昇降路内の建屋躯体に通信ケーブルを敷設するには、建屋の垂直方向距離を、表面仕上げがさまざまな壁面に、ケーブルを保持するに必要な間隔で、エレベーターの運行に支障がないように着実にケーブルを固定する必要があり、多大な労力を要するといえる。
【０００６】
本発明は、上述した問題点に鑑みてなされたもので、その目的は、エレベーターの昇降路内に、エレベーター機器及び運行に関与しない通信ケーブルを、エレベーターの機器に依存せずにエレベーター昇降路内に懸架するとともに、迅速かつ確実に、追加敷設を可能とするエレベーターの昇降路内ケーブル敷設方法を提供することにある。
【課題を解決するための手段】
【０００７】
上記目的を達成するため、本発明では、追加する通信ケーブルの少なくとも１箇所をエレベーターの昇降路壁面、もしくは建物躯体に懸架可能な状態で固定するとともに、この追加する通信ケーブルの少なくとも１箇所を、乗りかご、もしくはつり合い錘の案内レールに取り付けたブラケットにより、エレベーターの昇降路壁面に圧着保持することを特徴とする。
【０００８】
本発明によれば、追加する通信ケーブルは少なくとも１箇所をエレベーターの昇降路壁面、もしくは建物躯体に懸架可能な状態で固定されることから、この箇所の保持力で昇降路内への懸架が可能となり、かつ、それ以外の箇所においては、エレベーターの乗りかご、もしくはつり合い錘の案内レールに取り付けたブラケットにより、エレベーターの昇降路壁面に圧着保持することで、エレバーター昇降路壁面への通信ケーブルの敷設が可能となる。
【０００９】
本発明によれば、エレベーターの昇降路内に通信ケーブルを追加敷設する場合、ケーブルの昇降路壁面、もしくは建物躯体に固定する箇所はケーブルを懸架する最小１箇所で可であり、エレベーターの運行に支障がないよう通信ケーブルを昇降路壁面に保持することが必要な箇所については、エレベーターの乗りかご、もしくはつり合い錘の案内レールに取り付けたブラケットにより、昇降路壁面に通信ケーブル圧着するため、追加する通信ケーブルの敷設作業を容易に行うことができる。
【００１０】
また、将来的にエレベーターの改修作業やリニューアルといったことが発生した場合において、通信ケーブルをエレベーターの昇降路壁面に圧着している乗りかご、もしくはつり合い錘の案内レールに取り付けたブラケットが撤去された場合でも、エレベーターの昇降路壁面、もしくは建物躯体に固定された箇所の保持力で通信ケーブルは昇降路内に懸架されるので、エレベーターの改修作業やリニューアルの工事期間中も建屋の通信機能を維持することができる。
【発明の効果】
【００１１】
本発明のエレベーターの昇降路内ケーブル敷設方法によれば、エレベーターの機器に依存せずにエレベーター昇降路内に懸架するとともに、迅速かつ確実に、エレベーターの昇降路内にエレベーター機器及び運行に関与しない通信ケーブルを追加敷設することができる。
【発明を実施するための最良の形態】
【００１２】
以下、本発明に係るエレベーターの昇降路内ケーブル敷設方法の一実施の形態を図面に基づいて説明する。
【００１３】
図１は本発明の一実施形態に係わるエレベーターの昇降路内ケーブル敷設方法を示す全体図、図２は図１のＡ部拡大図、図３は図１のＢ部拡大図、図４は図３のＣ視図である。
【００１４】
図１に示すように、エレベーターの昇降路１の中にはエレベーターの乗りかご２、つり合い錘３、乗りかごの案内レール４などが配置されており、エレベーターの昇降路１の四方は、エレベーターの昇降路壁面５で区画されている。
【００１５】
このエレベーターの昇降路１の中に追加敷設される通信ケーブル６はエレベーターの昇降路１の下部からエレベーターの昇降路１内に引き込まれ、上方に敷設される。さらに通信ケーブル６からは、建屋各階へ通線するため、通信ケーブル６ａ、６ｂ、６ｃが分岐されている。
【００１６】
通信ケーブル６をエレベーターの昇降路壁面５に固定、懸架を行うために、エレベーターの昇降路１の上部に設置されるものが通信ケーブル固定ブラケット７であり、エレベーターの昇降路１の高さ方向全域にわたって通信ケーブル６をエレベーターの昇降路壁面５に圧着保持するために、通信ケーブル圧着ブラケット８が適当な間隔で乗りかごの案内レール４に設けられている。
【００１７】
図２は図１のＡ部拡大図であり、通信ケーブル６は通信ケーブル固定ブラケット７により懸架されており、通信ケーブル固定ブラケット７はエレベーターの昇降路壁面５にアンカーボルト９で固定されている。
【００１８】
図３は図１のＢ部拡大図であり、通信ケーブル圧着ブラケット８は乗りかごの案内レール４にレールクリップ１０で固定され、通信ケーブル圧着ブラケット８の端部で通信ケーブル６を昇降路壁面５に圧着する構成となっている。
【００１９】
図４は図３のＣ視図であり、通信ケーブル６は通信ケーブル圧着ブラケット８の端部設けられた緩衝材８ａに接する形で、昇降路壁面５に圧着されている。
【００２０】
本発明であるエレベーターの昇降路内ケーブル敷設方法は、追加敷設する通信ケーブル６を懸架する通信ケーブル固定ブラケット７をエレベーターの昇降路壁面５に設け、それ以外の箇所で通信ケーブル６を保持するために、通信ケーブル６をエレベーターの昇降路壁面５に圧着する通信ケーブル圧着ブラケット８を乗りかごの案内レール４に適当な間隔で設ける構成となっている。
【００２１】
上記実施形態のエレベーターの昇降路内ケーブル敷設方法よれば、追加敷設する通信ケーブル６をエレベーターの昇降路壁面５に固定するのは最小１箇所で可能であり、通信ケーブル６をエレベーターの昇降路壁面５に保持するのに必要なその他の箇所での固定については、通信ケーブル圧着ブラケット８を乗りかごの案内レール４に適当な間隔で設けるだけでよい。このため、昇降路壁面５の強度や仕上げに左右され、かつ、設置にアンカーボルト９の打設など、労力を要する通信ケーブル固定ブラケット７の設置は最小１箇所でよい。通信ケーブル圧着ブラケット８は乗りかごの案内レール４にレールクリップ１０で固定されるため、その他の箇所で通信ケーブル６を昇降路壁面５に保持することは容易に可能である。
【００２２】
次に、当該エレベーターが将来的にリニューアルを行い、このエレベーターの撤去が発生した場合について記す。
【００２３】
エレベーターのリニューアルには様々な工法が提案されているが、最も一般的な工法は既存のエレベーターを一式撤去し、残された昇降路に新規のエレベーターを再設置するものである。
【００２４】
この場合、エレベーターの昇降路１の中にある、エレベーターの乗りかご２、つり合い錘３、乗りかごの案内レール４などは全て撤去されることになる。
【００２５】
ここで、通信ケーブル圧着ブラケット８は乗りかごの案内レール４に固定されるため、エレベーターの撤去に合わせて取り外しを余儀なくされる。一方、通信ケーブル固定ブラケット７はエレベーターの昇降路壁面５に設けられているため、エレベーターが撤去された場合でも、通信ケーブル６をエレベーターの昇降路１内に懸架することは維持できる。従来、通信ケーブル圧着ブラケット８でエレベーターの昇降路壁面５に通信ケーブル６を保持していた機能は失うことになるが、エレベーターが撤去されている期間、それが無くとも通信ケーブル６の通信機能に支障はきたさないので問題はない。
【００２６】
以上述べてきたように、上記実施形態のエレベーターの昇降路内ケーブル敷設方法によれば、エレベーターの機器に依存せずにエレベーターの昇降路１内に通信ケーブル６を懸架するとともに、迅速かつ確実に、エレベーターの昇降路１内に通信ケーブル６を追加敷設することができる。
【００２７】
また、本実施形態では、通信ケーブル固定ブラケット７はエレベーターの昇降路１内の上部１箇所に設けたが、これを複数設けても良い。
【図面の簡単な説明】
【００２８】
【図１】本発明の一実施形態に係わるエレベーターの昇降路内ケーブル敷設方法を示す全体図である。
【図２】図１のＡ部拡大図である。
【図３】図１のＢ部拡大図である。
【図４】図３のＣ視図である。
【符号の説明】
【００２９】
１  エレベーターの昇降路
２  エレベーターの乗りかご
３  つり合い錘
４  乗りかごの案内レール
５  エレベーターの昇降路壁面
６  通信ケーブル
７  通信ケーブル固定ブラケット
８  通信ケーブル圧着ブラケット
【図１】
2007062868.tif 000003
【図２】
2007062868.tif 000004
【図３】
2007062868.tif 000005
【図４】
2007062868.tif 000006